(57)【要約】【課題】  設置作業の効率を高め、樹幹の周囲に大きな余裕空間を設ける必要がないようにすること。【解決手段】  巻き成形したカール部１１を両端または一端に備える波形金属線１４を組み合わせて成形する菱形金網を技術的前提として、前記カール部１１を備える金網の端縁を上下としたときに、当該金網の左右の端部に直線状の枠材１６−１、１６−２を備え、カール部１１に柔軟な紐材２０−１、２０−２を挿通させることによって、波形金属線１４を連結させる（請求項１）。柔軟な紐材を介して、隣接する波形金属線１４同士を自由にスライドさせる構成である。網目がスライドして収縮／拡大できるので、網目がなくなるように全波形金属線を集めると、手に持ちやすい非常にコンパクトなサイズに集約出来、足場の悪い傾斜地林野での作業時にも、多くの本数の樹皮保護ネット１０を現場に運ぶことが可能となり、作業効率が格段に向上する。【選択図】    図１
2018093747.tif 000002
【特許請求の範囲】
【請求項１】
巻き成形したカール部を、両端または一端に備える波形金属線を組み合わせて成形する菱形金網を用いる樹皮保護ネットであって、
前記カール部を揃えた金網の端縁を上下としたときに、
当該金網の左右端部に直線状の枠材を備え、
金網の上下にある前記カール部に柔軟な紐材を挿通させることによって、前記波形金属線を連結させたことを特徴とする樹皮保護ネット。
【請求項２】
請求項１に係る樹皮保護ネットは、
金網の左右端部に配した枠材を縦方向に配するとともに、
隣り合う波形金属線を完全に展張させず、
当該波形金属線を緩めた状態で樹幹の周囲を囲むように配することを特徴とする樹皮保護ネットの配設方法。
【請求項３】
縦方向に配した二本の枠材は、
コイル状の螺旋連結材を介して固定することを特徴とする請求項２記載の樹皮保護ネットの配設方法。
【発明の詳細な説明】
【技術分野】
【０００１】
本発明は、シカ等の野生動物による樹皮の剥離被害を防止する技術に関する。
【背景技術】
【０００２】
近時、国有林、自治体保有林等において、シカやウサギ等の野生動物による樹皮の剥離被害（剥皮害）が深刻化している。
【０００３】
人工林、天然林を問わず、野生生物が樹皮を剥いで形成層を食べるので、幹の内部に木材腐朽菌が入り、年数の経過とともに腐朽が広がる可能性があり、台風などの強風により腐朽部分が折れ風倒木となる虞れがあるため、従来から、このような樹皮の剥離被害を防止する提案がなされている。
【０００４】
比較的広く知られている技術としては、下記特許文献１がある。これは、図１１に示すように、合成樹脂製の単糸ネット１を使用したシート状部材によって樹幹２を囲むものである。合成樹脂製の単糸ネット１は通気性があるので、樹木の成長を妨げず、樹皮の剥離被害を防止できる。
【０００５】
樹木は成長するので、単糸ネット１は樹幹２との間に若干の隙間３を設けて配する。
【先行技術文献】
【特許文献】
【０００６】
【特許文献１】特開２０００−４６９４号
【発明の開示】
【発明が解決しようとする課題】
【０００７】
問題は、設置作業の効率の悪さと、信頼性確保の難しさである。
【０００８】
引用文献１の発明は、合成樹脂製の単糸ネット（いわゆるフラワーネット）を用いる。しかし、樹幹の周りを囲んで自立させることは必ずしも容易ではない。また、方形シート状に成形した上で現場に運ぶ旨が説明されているが、方形シート状に成形した、自立可能なネット材を現場に運ぶのは容易ではない。
【０００９】
獣害から樹木を護るためには、例えば、樹皮保護ネットの高さ寸法を１〜１．５メートルほどに設定するが、これをシート状にして、傾斜地林野であってトラックが入れない現場に運搬するのは、作業効率に問題が生ずる。
【００１０】
特許文献１に係る樹脂ネット以外にも、従来、打ち抜き成形した樹脂ネットも使用されたが、打ち抜き成形した樹脂ネットは、シート状に成形して現場に運ぶのが困難であるため、大きなロール状に巻いて現場まで運び、そこでシート状に切断して使用した。勿論、大きなロール状に巻かれた樹脂ネットを傾斜地林野で運ぶのは容易ではなく、人員も要するし、切断処理に時間がかかるなど、効率が悪かった。
【００１１】
一方、樹脂ネットは、特許文献１のものに限らず、どのような種類であれ、伸縮性がない。
【００１２】
このため、樹木の生長により樹幹が太くなっても、平面略円形を呈するよう配した樹脂ネットの直径は拡大しないから、比較的短いスパンで樹脂ネットを交換する必要が生ずる。交換が遅れると、樹木の成長により樹脂ネットが破損する可能性もある。
【００１３】
従って、特許文献１に係る樹脂ネットも、他の樹脂ネットも、樹幹のまわりに大きな余裕空間をもたせて設置する。しかしながら、大きな余裕空間を作ると、ネズミ、野ウサギ等の野生動物が余裕空間に出入りして、樹皮にダメージを与える可能性がある。
【００１４】
そこで、本発明の目的は、設置作業の効率を高め、樹幹の周囲に大きな余裕空間を設ける必要がないようにする点にある。
【課題を解決するための手段】
【００１５】
前記目的を達成するため、本発明に係る樹皮保護ネットは、巻き成形したカール部を両端または一端に備える波形金属線を組み合わせて成形する菱形金網を技術的前提として、前記カール部を揃えた金網の端縁を上下としたときに、当該金網の左右の端部に直線状の枠材を備え、金網の上下にある前記カール部に柔軟な紐材を挿通させることによって、前記波形金属線を連結させる（請求項１）。
【００１６】
通常の菱形金網は、展張状態を維持させるため、上下端部／左右端部に金属製の枠材（枠線／骨線）を配する。しかし、本発明に係る樹皮保護ネットは、上下端部に柔軟な紐材を配する。隣接する波形金属線同士を自由にスライドさせることを可能とするためである。網目がスライドして収縮／拡大できるので、網目がなくなるように全波形金属線を集めると、手に持ちやすい非常にコンパクトなサイズに集約出来る。
【００１７】
この結果、足場の悪い傾斜地林野での作業時にも、多くの本数の樹皮保護ネットを現場に運ぶことが可能となる。一回で多くの樹皮保護ネットを運べるので、作業効率は格段に向上する。
【００１８】
請求項２は、請求項１に係る樹皮保護ネットを、金網の左右端部に配した枠材を長手方向が縦方向となるように配するとともに、隣り合う波形金属線を完全に展張させず、当該波形金属線を緩めた状態で樹幹の周囲を囲むように配する配設方法である。
【００１９】
請求項１に係る樹皮保護ネットは、網目を自由にスライドさせることが出来るので、樹木の幹の太さに応じて、網目の大きさを調整し、過剰な余裕空間を作らずに樹幹の周囲を囲んで配することが出来る。このため、野ウサギ等の小動物による樹皮の剥離被害を防止できる。
【００２０】
また、樹木が成長しても、網目がスライドして拡大する。このため、樹皮保護ネット交換のメンテナンスのスパンを長く設定でき、交換メンテナンスに要する自治体等の経費負担を軽減することが可能となる。
【００２１】
縦方向に配した二本の枠材は、コイル状の螺旋連結材を介して固定する場合がある（請求項３）。
【００２２】
枠材同士の固定（結束）はどのような手段によっても良いが、コイル状の螺旋連結材を使用すると、結束作業が容易である。また、螺旋連結材の下端部が地面に接地しているときは、樹皮保護ネットの自立を安定させる効果がある。
【発明の効果】
【００２３】
本発明に係る樹皮保護ネットによれば、波形金属線をコンパクトに集約することによって設置作業の効率を高めることが出来、網目が自由にスライドするので樹幹の周囲に大きな余裕空間を設ける必要がなくなる。
【図面の簡単な説明】
【００２４】
【図１】請求項１に係る樹皮保護ネットを例示する図である。
【図２】図１に示す波形金属線の端部を拡大して例示する図である。
【図３】図２に係る波形金属線を組み合わせた状態を例示する図である。
【図４】図２に係る波形金属線の山／谷の高低を例示する斜視図である。
【図５】図１に示す樹皮保護ネットの網目を最大限に展張させた状態を示す図である。
【図６】図５の状態から波形金属線をスライドさせた状態を示す図である。
【図７】図６の状態から波形金属線を略完全に収束させた状態を例示する図である。
【図８】図７の状態における樹皮保護ネットの全体を例示する図である。
【図９】図１に係る樹皮保護ネットの配設状態を示す外観図である。
【図１０】図２に示す樹皮保護ネットの配設状態を示す断面相当図である。
【図１１】従来の樹皮保護ネットの配設状態を示す外観図である。
【発明を実施するための形態】
【００２５】
図１は、請求項１に係る樹皮保護ネットの実施形態を示すものである。
【００２６】
この樹皮保護ネット１０は、巻き成形したカール部１１を両端に備える波形金属線１４を組み合わせて成形する菱形金網であり、カール部１１を備える金網の端縁を上下としたときに、当該金網の左右端部に直線状の枠材１６−１、１６−２を備え、金網の上下にある前記カール部１１のそれぞれに、柔軟な紐材２０−１、２０−２を挿通させることによって、前記波形金属線１４を連結させるものである。
【００２７】
菱形金網を構成する波形金属線１４は、図２にも示すように、同一形状に成形し、両端部にカール部１１が出来るよう巻き成形してある。網目の大きさに応じて、波形金属線１４の断面直径、山／谷を作る傾斜部の寸法は自由に設定できるが、端部（例えば両端部）にカール部１１を備えることが条件となる。
【００２８】
菱形金網を作るときは、隣接する波形金属線１４を反転（例えば垂直反転）させ、隣接する波形金属線１４の谷部（下湾曲部）Ｖと山部（上湾曲部）Ｍを交互に係合させて、組み合わせた波形金属線１４を左右方向（枠材１６−１、１６−２を広げる方向）に拡開／展張させる（図３）。菱形金網の両端に、カール部１１が揃う（略一直線上に整列する）。
【００２９】
波形金属線１４は、図４に示すように、谷部（下湾曲部）Ｖと山部（上湾曲部）Ｍが、長手方向に対して若干の捻れを呈している。立体的にみると、例えば、直線部１５−１に対して直線部１５−２は下位置にある。図４の場合は、直線部１５−３と直線部１５−１とが上位置、直線部１５−２と直線部１５−４が下位置となっている。
【００３０】
このように、谷部Ｖと山部Ｍとの間に若干の高低差があり、網目の接合点が溶接金網のように固定された状態ではないので、菱形金網は、隣接する波形金属線１４同士が容易に動く。
【００３１】
この結果、柔軟な紐材２０−１、２０−２をカール部１１に挿通させた樹皮保護ネット１０は、必要に応じて、波形金属線１４の網目を自由に展開または収束させることができる。
【００３２】
図をもって具体的に示すと、網目Ｑを最大限に展張させた状態（図５）から、図６に示すように波形金属線１４同士を矢印Ａ、Ｂ方向にスライドさせると網目Ｑを小さくでき、さらにスライドさせると、図６に示すように網目Ｑがなくなって、波形金属線１４は完全に収束する。なお、波形金属線１４同士を完全に収束させたときには、斜め方向にスライドする寸法分、端部が交互に若干の位置ずれが生ずる。位置ずれを、図７に符号Ｐとして示す。
【００３３】
図８は、波形金属線１４を収束させた樹皮保護ネット１０を例示するものである。理解を容易にするため、図７に示す樹皮保護ネット１０は波形金属線１４同士の間に空間を設けて示したが、実際には、完全に収束させると、波形金属線１４同士は隙間なく密着し、非常にコンパクトになる。
【００３４】
樹皮保護ネット１０を収束させたとき、紐材２０−１、２０−２は、収縮して（弛んで）カール部１１から突出する。
【００３５】
柔軟な紐材２０−１、２０−２としては、例えば、シュロ縄、麻紐等を使用することが出来る。柔軟性があれば、合成樹脂繊維を用いた紐材でも良い。耐候性に優れ、雨雪等に晒される自然条件下でも腐敗しにくい紐材を使用することが望ましい。
【００３６】
従って、かかる樹皮保護ネット１０を使用すれば、車両が入ることが出来ないような、足場の悪い林野の奥部にも、小数の人員で多数の樹皮保護ネット１０を運び込むことが出来るので、作業効率は飛躍的に向上する。
【００３７】
樹幹の周囲を囲む作業時にも、枠材１６−１、１６−２を左右に引いて拡開させるだけで、樹幹の太さに応じた適宜の左右寸法に調節できる。
【００３８】
図９、図１０は、樹皮保護ネット１０の配設方法を例示するものである。この実施形態に係る配設方法は、金網の左右端部に配した枠材１６−１、１６−２を縦方向に配するとともに、隣り合う波形金属線１４を完全に展張させず、波形金属線１４を緩めた状態で樹幹２の周囲を囲むように配するものである。
【００３９】
この場合、枠材１６−１、１６−２は、その長手方向が略鉛直方向で、紐材２０−１、２０−２が上下端部において、略水平方向の配置となる。
【００４０】
また、隣り合う波形金属線１４を完全に展張させず、網目Ｑを緩めた（小さくした）状態、つまり、例えば前記図６のように、網目Ｑを適当な大きさに調節した上で、樹幹２の周囲を囲む。網目Ｑを適当な大きさに調節することによって、できるだけ、樹幹２と樹皮保護ネット１０との間の隙間３を少なくするためである。
【００４１】
より好ましくは、隙間３が生じないよう、樹幹２と樹皮保護ネット１０とを密着させた状態で配する。勿論、小動物が入り込むことが出来ない程度の、若干の隙間３があっても構わない。
【００４２】
樹幹２を包持する樹皮保護ネット１０は、左右端縁に位置する縦方向の枠材１６−１、１６−２を適宜手段によって互いに結束する。結束により、樹皮保護ネット１０の配設は終了する。
【００４３】
結束の手段は、紐、クリップ、環状部材等、適宜の手段を選択して使用できるが、コイル状の螺旋連結材６０を介して二本の枠材１６−１、１６−２を結束することが望ましい。
【００４４】
螺旋連結材６０を用いれば、二本の枠材１６−１、１６−２に当該螺旋連結材６０をねじ込むことで、容易に結束を行うことが出来るからである。図面（図９）では、螺旋連結材６０を誇張して大きく示したが、実際には、短手寸法もコンパクトなもので良く、多数本を手に持って現場に運ぶことが可能である。二本の枠材１６−１、１６−２をしっかりと固定できればよいので、枠材１６−１、１６−２の長手寸法と略同一の長手寸法のものに限らず、枠材１６−１、１６−２の長手寸法よりも短い寸法のものであっても良い。例えば、１／２〜１／３程度の長手寸法のものでも、実用上の使用に耐える。暴風時の樹皮保護ネット１０の挙動を考慮すれば、螺旋連結材６０の長手寸法は、枠材１６−１、１６−２の長手寸法の１／４以上の長さとすることが望ましい。
【００４５】
従って、このような配設方法によれば、樹幹２の太さに応じて、樹幹２と樹皮保護ネット１０との間に生じる隙間３を少なく、より好ましくは、樹皮保護ネット１０を樹幹２に密着させた状態で配することが出来る。樹幹２の太さに応じて、網目Ｑを適当な大きさに調節すれば良いからである。
【００４６】
これにより、シカのような大型の野生動物による樹皮剥離被害を防止できるとともに、野ウサギ等の小動物による樹皮剥離被害も確実に防止できる。
【００４７】
また、樹木の成長に伴って、樹幹２の太さは徐々に大きくなるが、設置当初から網目Ｑの大きさを小さめに調整して配設できるので、樹幹２の成長に伴い、波形金属線１４がスライドしながら網目Ｑの大きさを拡大させる。このため、常に、樹幹２の太さに応じて隙間３が少ない状態（または密着した状態）で、網目Ｑの大きさが最大になるまで、メンテナンス（樹皮保護ネット１０の交換）の期間を長く延ばすことが可能となる。
【００４８】
紐材２０−１、２０−２の長手寸法は、網目Ｑの大きさが最大となる状態、すなわち、樹皮保護ネット１０を最大限に展張させたときに、波形金属線１４の左右端部を連絡する長さに設定する。網目Ｑを小さくしたとき、紐材２０−１、２０−２は弛む。
【００４９】
車両が入ることが出来ない、足場の悪い傾斜林野地におけるメンテナンス（樹皮保護ネット１０の交換）作業は、国有林や自治体保有林のように広大なエリアでは多額の費用を要するところ、メンテナンスのスパンを延長可能とすることによって、費用削減を図ることが可能となる。
【００５０】
なお、本発明に係る波形金属線１４のカール部１１は、左右両端にあることが望ましいが、波形金属線１４の片側だけに設けるものであっても良い。片側にのみカール部（１１）を設けた場合であっても、隣接する波形金属線（１４）を反転（例えば水平反転）させれば、一本おきにカール部（１１）が端部（上下端部）に存在するので、紐材２０−１、２０−２を介して波形金属線１４をしっかりと連結させることが出来るからである。
【符号の説明】
【００５１】
２  樹幹
３  隙間
１０  樹皮保護ネット
１１  カール部
１４  波形金属線
１５−１、１５−２、１５−３、１５−４  （波形金属線の）直線部
１６−１、１６−２  枠材
２０−１、２０−２  紐材
６０  螺旋連結材
Ａ、Ｂ  （波形金属線の）スライド方向
Ｍ  波形金属線の山部（上湾曲部）
Ｐ  端部の位置ずれ
Ｑ  網目
Ｖ  波形金属線の谷部（下湾曲部）
【図１】
2018093747.tif 000003
【図２】
2018093747.tif 000004
【図３】
2018093747.tif 000005
【図４】
2018093747.tif 000006
【図５】
2018093747.tif 000007
【図６】
2018093747.tif 000008
【図７】
2018093747.tif 000009
【図８】
2018093747.tif 000010
【図９】
2018093747.tif 000011
【図１０】
2018093747.tif 000012
【図１１】
2018093747.tif 000013